(57)【要約】【課題】メディア関連機器の光学ピックアップレンズおよびカメラレンズなどの移送に用いられるレンズ移送装置を提供する。【解決手段】本発明のレンズ移送装置は、一定の長さを有する出力軸にリードスクリューが結合した駆動モータ２０と、前記駆動モータ２０が装着されるベース１０と、前記リードスクリュー２２に螺合され、前記駆動モータ２０が回転するにつれて直線移動を行うナット３０と、前記ナット３０の直線移動に伴って、レンズ６０が装着されて前記レンズ６０を光軸方向に移動させるレンズホルダー部とを含んでなるレンズ移送装置であって、前記ベース１０において、前記駆動モータ２０が装着される光軸方向に対して垂直な垂直壁面１１には貫通孔１２が設けられ、前記貫通孔１２はその外側に延びる開口部１３を有することを特徴とする。【選択図】図１
2011123485.tif 000002
【特許請求の範囲】
【請求項１】
一定の長さを有する出力軸にリードスクリューが結合されている駆動モータと、前記駆動モータが装着されるベースと、前記リードスクリューに螺合され、前記駆動モータが回転するにつれて直線移動を行うナットと、前記ナットの直線移動に伴って、レンズが装着されて前記レンズを光軸方向に移動させるレンズホルダー部とを含んでなるレンズ移送装置であって、
前記ベースにおいて、前記駆動モータが装着される光軸方向に対して垂直な垂直壁面には貫通孔が設けられ、前記貫通孔はその外側に延びる開口部を有することを特徴とする、レンズ移送装置。
【請求項２】
前記開口部の幅は、前記駆動モータの出力軸の直径よりは大きく、前記貫通孔の直径とは同一またはそれより小さくされていることを特徴とする、請求項１に記載のレンズ移送装置。
【請求項３】
前記垂直壁面の厚さは前記出力軸の長さより小さいことを特徴とする、請求項１に記載のレンズ移送装置。
【請求項４】
前記垂直壁面の厚さは、前記駆動モータから出力軸方向に前記出力軸を最大限引っ張って突出させたとき、前記リードスクリューの終端と駆動モータケース間の長さより小さいことを特徴とする、請求項３に記載のレンズ移送装置。
【発明の詳細な説明】
【技術分野】
【０００１】
本発明は、メディア関連機器の光学ピックアップレンズおよびカメラレンズなどの移送に用いられるレンズ移送装置に係り、さらに詳しくは、一定の長さを有する出力軸にリードスクリューが結合されている駆動モータと、前記駆動モータが装着されるベースと、前記リードスクリューに螺合され、前記駆動モータが回転するにつれて直線移動を行うナットと、前記ナットの直線移動に伴って、レンズが装着されて前記レンズを光軸方向に移動させるレンズホルダー部とを含んでなるレンズ移送装置であって、前記ベースにおいて、前記駆動モータが装着される光軸方向と垂直な垂直壁面に設けられる貫通孔に対してその外周に延びる開口部を有するようにすることにより、前記駆動モータとナットとを予め螺合させた後、前記ベースに係合し得るようにして、製造コストの節減および作業損失の改善を実現した、レンズ移送装置に関する。
【背景技術】
【０００２】
メディア関連機器の光学ピックアップレンズおよびカメラレンズなどにおいて、レンズの収差補正などのために前記レンズを移送させるレンズ移送装置は、一定の長さを有する出力軸にリードスクリューが結合されている駆動モータと、前記駆動モータが装着されるベースと、前記リードスクリューに螺合され、前記駆動モータが回転するにつれて直線移動を行うナットと、前記ナットの直線移動に伴って、レンズが装着されて前記レンズを光軸方向に移動させるレンズホルダー部とを含んでなる。
【０００３】
前記レンズを光軸方向に移動させる動作過程では、前記駆動モータが回転するにつれて、前記駆動モータの出力軸に結合されているリードスクリューが回転し、前記リードスクリューが回転するにつれて、前記リードスクリューに螺合されているナットが直線移動する。この際、前記ナットは、前記レンズホルダー部を前記レンズの光軸方向に移動させるレンズホルダー移送動作部を直線移動させる。前記レンズホルダー移送動作部の直線移動に伴って連動するレンズホルダーが前記レンズを光軸方向に移動させる。
【０００４】
前述したようなレンズ移送装置の従来の組立構造では、前記ベースに駆動源としてのモータを組立て装着するとき、光軸方向に対して垂直なベースの一面に位置決め孔を、前記駆動モータに係合突部をそれぞれ設け、前記位置決め孔と前記駆動モータの係合突部とを係合させて組み立てる方法を使用した。
【０００５】
前記位置決め孔は、前記リードスクリューの外径よりは大きく、前記駆動モータの係合突部の外径とは同一またはそれより大きい機構的な関係で製作された。
【０００６】
上述したような組立構造では、前記ベースに前記駆動モータを組み立てた後、前記駆動モータの出力軸に結合されているリードスクリューに前記ナットを螺合する組立方式を使用するしかなかった。この際、前記ナットの外径が前記位置決め孔よりは大きく製作されているため、前記ナットが前記位置決め孔を通過して組み立てることは不可能であった。
前述したように前記ベースに前記駆動モータを装着した後で前記ナットを組み立てる場合、工程に対する製造コストが上昇し、組み立ての際に作業損失が大きいという問題点があった。
【発明の概要】
【発明が解決しようとする課題】
【０００７】
本発明は、上述した従来の技術の問題点を解消するためのもので、その目的は、一定の長さを有する出力軸にリードスクリューが結合されている駆動モータと、前記駆動モータが装着されるベースと、前記リードスクリューに螺合され、前記駆動モータが回転するにつれて直線移動を行うナットと、前記ナットの直線移動に伴って、レンズが装着されて前記レンズを光軸方向に移動させるレンズホルダー部とを含んでなるレンズ移送装置であって、前記ベースにおいて、前記駆動モータが装着される光軸方向と垂直な垂直壁面に設けられる貫通孔に対してその外側に延びる開口部を設けるようにすることにより、前記駆動モータとナットとを予め螺合させた後、前記ベースに装着し得るようにして製造コストの節減および作業損失の改善を実現したレンズ移送装置を提供することにある。
【課題を解決するための手段】
【０００８】
上記目的を達成するために、本発明は、一定の長さを有する出力軸にリードスクリューが結合されている駆動モータと、前記駆動モータが装着されるベースと、前記リードスクリューに螺合され、前記駆動モータが回転するにつれて直線移動を行うナットと、前記ナットの直線移動に伴って、レンズが装着されて前記レンズを光軸方向に移動させるレンズホルダー部とを含んでなるレンズ移送装置であって、前記ベースにおいて、前記駆動モータが装着される光軸方向に対して垂直な垂直壁面には貫通孔が設けられ、前記貫通孔はその外側に延びる開口部を有することを特徴とする、レンズ移送装置を提供する。
【０００９】
ここで、前記開口部の幅は、前記駆動モータの出力軸の直径よりは大きく、前記貫通孔の直径とは同一またはそれより小さくされていることを特徴とする。
【００１０】
前記垂直壁面の厚さは出力軸の長さより小さいことを特徴とする。
【００１１】
前記垂直壁面の厚さは、駆動モータから出力軸方向に前記出力軸を最大限引っ張って突出させたとき、前記リードスクリューの終端と駆動モータケース間の長さより小さいことを特徴とする。
【発明の効果】
【００１２】
本発明に係るレンズ移送装置は、従来のベースに係合された駆動モータの出力軸に結合されているリードスクリューにナットを螺結させる組立構造と比較して、前記ベースにおいて、前記駆動モータが装着される光軸方向と垂直な垂直壁面に設けられる貫通孔に対してその外側に延びる開口部を有するようにすることにより、前記駆動モータとナットとを予め螺合させた後、前記ベースに装着し得るようにして、製造コストの節減だけでなく、作業損失の節減を図ることができる。
【図面の簡単な説明】
【００１３】
【図１】本発明に係るレンズ移送装置が組み立てられた状態を示す斜視図である。
【図２】本発明に係るレンズ移送装置のベースを示す斜視図である。
【図３】本発明に適用される駆動モータの一例を示す図である。
【発明を実施するための形態】
【００１４】
以下に添付図面を参照しながら、本発明に係るレンズ移送装置について具体的に説明する。
【００１５】
図１は本発明に係るレンズ移送装置が組み立てられた状態を示す斜視図、図２は本発明に係るレンズ移送装置のベースを示す斜視図、図３は本発明に適用される駆動モータの一例を示す図である。
【００１６】
本発明に係るレンズ移送装置は、図１に示すように、一定の長さを有する出力軸にリードスクリューが結合されている駆動モータ２０と、前記駆動モータ２０が装着されるベース１０と、前記リードスクリュー２２に螺合され、前記駆動モータ２０が回転するにつれて直線移動を行うナット３０と、前記ナット３０の直線移動に伴って、レンズ６０が装着されて前記レンズ６０を光軸方向に移動させるレンズホルダー部とを含んでなる。
【００１７】
前記駆動モータ２０は、図１および図３に示すように、駆動モータの駆動源になる駆動モータ本体と、前記駆動モータ本体から一定の長さだけ突出し、前記駆動モータ本体からの回転力によって回転する出力軸と、前記出力軸に結合され、ネジ山を有するリードスクリュー２２と、前記駆動モータ本体を制御するための制御信号を発生するＦＰＣ(Flexible Printed Circuit)２４と、外部から電気信号の印加を受ける端子部２３などから構成されており、前記出力軸は、前記駆動モータ本体から突出し、前記リードスクリュー２２に結合される前までの部分である出力軸２１、および前記リードスクリュー２２から構成される。
【００１８】
前記ベース１０の一側には第１シャフト４０が備えられている。前記第１シャフト４０は、前記ナット３０における、前記リードスクリュー２２に螺合された部分から延長された部分を案内して、前記ナット３０が直線移動を行うときに揺動なしで光軸方向に円滑に移動するようにするとともに、後述のレンズホルダー移送動作部７４の一側を案内して、前記レンズホルダー移送動作部７４が揺動なしで光軸方向に円滑に移動するようにする役割を果たす。
【００１９】
前記レンズホルダー部は、前記レンズ６０が装着されるレンズホルダー７１と、前記レンズホルダー７１を光軸方向に支持するレンズホルダー支持部７２と、レンズホルダー支持部７２の側面に設けられ、第２シャフト５０が光軸方向に貫き、光軸方向の他の一面には前記第２シャフト５０の一側に備えられたコイルバネ５１を収縮弛緩させることが可能な隔壁が設けられているシャフト貫通部７３と、前記シャフト貫通部７３の他の側面から光軸方向に対して垂直に長く設けられて前記ナット３０に当接し、前記ナット３０が直線移動を行うにつれて連動して光軸方向に直線移動を行うレンズホルダー移送動作部７４などが一体形成されている構造でできている。
【００２０】
前記駆動モータ２０の回転駆動に伴って、前記ナット３０が光軸方向に直線移動を行い、前記ナット３０の直線移動に伴って、レンズホルダー移送動作部７４、前記シャフト貫通部７３、レンズホルダー支持部７２およびレンズホルダー７１も連動して光軸方向に直線移動を行うが、前記シャフト貫通部７３がその直線移動方向に沿って前記コイルバネ５１を収縮弛緩させる。
【００２１】
前記コイルバネ５１の収縮弛緩に伴って、前記レンズホルダー７１が弾性をもって光軸方向に移動する。
【００２２】
前記ベース１０は、図２に示すように、「Ｌ」字状をしており、図２の左には第２シャフト５０およびコイルバネ５１を収容する空間が設けられており、図２の右には光軸方向に対して垂直な垂直壁面１１が設けられており、前記垂直壁面１１で区画された内部空間には前記駆動モータ２０のリードスクリュー２２などを収容し、前記垂直壁面１１で区画された外部空間には前記駆動モータ２０の本体が配置されている。
【００２３】
前記垂直壁面１１には前記駆動モータの出力軸２１が設置される貫通孔１２が設けられており、前記貫通孔１２はその外側に延びる開口部１３を有する。
【００２４】
前記開口部１３は、図１および図２に示すように、上方に垂直方向に延びるようにすることが好ましいが、上方に一定の角度で傾くように設ける構造または前記出力軸２１が挿入できる構造であれば、側面または下方などのいずれの方向に設けても構わない。
【００２５】
前記開口部１３を有する貫通孔１２は、光軸を投影する方向から眺めたとき、鍵穴状をしている。
【００２６】
前記駆動モータ２０を前記ベースに装着するときに前記駆動モータ２０の出力軸２１を支持するベアリング（図示せず）と、前記ベアリングの抜けを防止し且つ前記ベース１０の貫通孔１２に係合することが可能なリング部材２５をさらに備えている。前記ベース１０の内部には、前記レンズホルダー部の位置を検出することが可能なセンサーとしてのフォトインタラプタ８０を備えている。
【００２７】
前記駆動モータ２０における出力軸２１の直径は、前記リードスクリュー２２の直径より小さくされている。
【００２８】
前記開口部１３の幅は、前記貫通孔１２の直径と同一またはそれより小さく、前記出力軸２１の直径よりは大きくされている。
【００２９】
また、前記垂直壁面１１の厚さは、前記駆動モータ２０の本体から突出した出力軸２１の長さより小さくされている。前記垂直壁面１１の厚さは、駆動モータから出力軸方向に前記出力軸２１を最大限引っ張って突出させたとき、前記リードスクリュー２２の終端と駆動モータケース間の長さより小さいことが好ましい。
【００３０】
前記駆動モータ２０の出力軸２１の外径が前記鍵穴状の開口部１３を通過し、前記垂直壁面１１に設けられた貫通孔１２には前記リング部材２５が係合されるため、前記貫通孔１２より大きいナットが螺合されている状態でも、前記駆動モータ２０を前記ベース１０に装着することができる。
【００３１】
すなわち、前述したようにベース１０の構造を、前記駆動モータ２０が装着される光軸方向と垂直な垂直壁面１１に設けられる貫通孔１２に対してその外側に延びる開口部１３を有するようにすることにより、前記駆動モータ２０とナット３０を予め螺合させた後、前記ベース１０に装着することができるため、レンズ移送装置の組立が容易であるという利点がある。
【００３２】
以上、本発明の好適な実施例を参照して説明したが、当該技術分野における当業者であれば、特許請求の範囲に記載された本発明の思想および領域から外れない範囲内において、本発明に様々な修正および変更を加え得るのが理解できるであろう。
【符号の説明】
【００３３】
１０    ベース
１１    垂直壁面
１２    貫通孔
１３    開口部
２０    駆動モータ
２１    出力軸
２２    リードスクリュー
２３    端子部
２４    ＦＰＣ
２５    リング部材
３０    ナット
４０    第１シャフト
５０    第２シャフト
５１    コイルバネ
６０    レンズ
７１    レンズホルダー
７２    レンズホルダー支持部
７３    シャフト貫通部
７４    レンズホルダー移送動作部
８０    フォトインタラプタ
【図１】
2011123485.tif 000003
【図２】
2011123485.tif 000004
【図３】
2011123485.tif 000005